(57)【特許請求の範囲】
【請求項１】
電源レール、電源タップ、および電源コードを含み；
前記電源レールは、
前記電源タップがスライド可能なレール本体を含み、
前記レール本体は、長手方向に沿って、複数の電源タップ対応領域を含み、
前記電源タップ対応領域は、それぞれ、前記電源タップと電気的に接続する導通部を有し；
前記電源タップは、
前記レール本体と電気的に接続する第１導通部と、
前記電源コードの電源プラグを挿入する挿入口と、
前記電源プラグと電気的に接続する第２導通部とを有し；
前記電源コードは、
コード本体と、前記コード本体の一端に接続された電源プラグと、前記コード本体の他端に接続された電源コネクタとを有し、
前記電源プラグが、前記電源コードにおける前記電源コネクタおよび前記電源タップに電気的に接続する第１導通部を有し、
前記電源コネクタが、前記電源コードにおける前記電源プラグと電気的に接続する第２導通部を有し；
前記電源タップおよび前記電源コードの各導通部は、それぞれ、同一導通パターンであり、
前記電源レールにおける前記電源タップ対応領域の導通部は、それぞれ、異なる導通パターンであり、前記同一導通パターンの一部が非導通の導通パターンであることを特徴とする、サーバラック用電源キット。
【請求項２】
前記導通パターンが、複数の導通ラインを含むパターンである、請求項１記載のサーバラック用電源キット。
【請求項３】
前記複数の導通ラインが、グランド線と、２本以上のビット線とを含む、請求項２記載のサーバラック用電源キット。
【請求項４】
複数の前記電源タップと、複数の前記電源コードとを含む、請求項１から３のいずれか一項に記載のサーバラック用電源キット。
【請求項５】
電源タップがスライド可能なレール本体を含み、
前記レール本体は、長手方向に沿って、複数の電源タップ対応領域を含み、
前記電源タップ対応領域は、それぞれ、前記電源タップと電気的に接続する導通部を有し、
前記電源レールにおける前記電源タップ対応領域の導通部は、それぞれ、異なる導通パターンであり、同一導通パターンの一部が非導通の導通パターンであることを特徴とする、サーバラック用電源レール。
【請求項６】
電源レールのレール本体をスライド可能であり、
前記レール本体と電気的に接続する第１導通部と、
電源コードの電源プラグを挿入する挿入口と、
前記電源プラグと電気的に接続する第２導通部とを有し、
前記第１導通部および前記第２導通部は、それぞれ、同一導通パターンであり、
前記第１導通部および前記第２導通部は、サーバの位置情報分析用の導通部であり、
請求項５記載の電源レールと共に使用されることを特徴とするサーバラック用電源タップ。
【請求項７】
コード本体と、前記コード本体の一端に接続された電源プラグと、前記コード本体の他端に接続された電源コネクタとを有し、
前記電源プラグは、前記電源コネクタおよび電源タップに電気的に接続する第１導通部を有し、
前記電源コネクタは、前記電源プラグと電気的に接続する第２導通部を有し、
前記第１導通部および前記第２導通部は、それぞれ、同一導通パターンであり、
前記第１導通部および前記第２導通部は、サーバの位置情報分析用の導通部であり、
請求項５記載のサーバラック用電源レールおよび請求項６記載のサーバラック用電源タップと共に使用されることを特徴とするサーバラック用電源コード。
【請求項８】
請求項１から４のいずれか一項に記載のサーバラック用電源キットに含まれる前記電源レールにおける前記電源タップ対応領域と、前記電源タップ対応領域の導通パターンと、前記電源レールが設置されるサーバラックにおけるサーバ配置位置とを、紐づけて記憶する記憶部、
前記サーバラック用電源キットの前記電源レールと、前記電源タップと、前記電源コードと、サーバとの接続による前記サーバからの導通情報を取得する導通情報取得部、および、
前記導通情報に対応する導通パターンを有する前記電源タップ対応領域を選択し、選択した前記電源タップ対応領域に紐づけされたサーバ配置位置を、前記接続したサーバの位置であると決定する分析部を有することを特徴とするサーバの位置情報管理装置。
【請求項９】
請求項１から４のいずれか一項に記載のサーバラック用電源キットに含まれる前記電源レールにおける前記電源タップ対応領域と、前記電源タップ対応領域の導通パターンと、前記電源レールが設置されるサーバラックにおけるサーバ配置位置とを、紐づけて記憶する記憶工程、
前記サーバラック用電源キットの前記電源レールと、前記電源タップと、前記電源コードと、サーバとの接続による前記サーバからの導通情報を取得する導通情報取得工程、および、
前記導通情報に対応する導通パターンを有する前記電源タップ対応領域を選択し、選択した前記電源タップ対応領域に紐づけされたサーバ配置位置を、前記接続したサーバの位置であると決定する分析工程を有することを特徴とするサーバの位置情報管理方法。
【請求項１０】
請求項９記載の位置情報管理方法をコンピュータに実行させることを特徴とするプログラム。
【発明の詳細な説明】
【技術分野】
【０００１】
本発明は、サーバラック用電源キット、サーバの位置情報管理装置、位置情報管理方法、プログラム、および記録媒体に関する。
【背景技術】
【０００２】
サービス業、ＩＴ産業、製造業等、あらゆる分野において、コンピュータ化は必要不可欠となっており、大型のサーバルームも一般的になっている。前記サーバルームには、多数のサーバが、サーバラックに収容されており、例えば、前記サーバに不具合が生じたり廃棄が必要になった場合には、作業者が、前記サーバルームに入室し、前記サーバラックから目的のサーバを探し出さなければならない。このため、前記サーバラックのどの位置に、どのサーバが収容されているかを管理することは、重要である。
【０００３】
前記サーバラックにおけるサーバの位置を管理する方法としては、例えば、前記ラックと前記サーバのそれぞれに、出力部と受信部とを取り付け、互いにデータ送信をすることで、位置関係を取得するという方法がある（特許文献１）。しかしながら、前記ラックにおける前記サーバの位置を管理することのみを目的として、通信装置をそれぞれに取り付けることは、コストがかかる。また、前記ラックと前記サーバのいずれかが、前記出力部または受信部を備えていなければ、位置情報を取得できず、また、データ送受信のために、それぞれが同じインターフェイスに対応する必要もある。
【先行技術文献】
【特許文献】
【０００４】
【特許文献１】特開２０１１−１６５１０４号公報
【発明の概要】
【発明が解決しようとする課題】
【０００５】
そこで、本発明は、例えば、サーバラックにおけるサーバの位置の管理を、安価且つ容易に実現できる新たなツールの提供を目的とする。
【課題を解決するための手段】
【０００６】
前記目的を達成するために、本発明のサーバラック用電源キットは、
電源レール、電源タップ、および電源コードを含み；
前記電源レールは、
前記電源タップがスライド可能なレール本体を含み、
前記レール本体は、長手方向に沿って、複数の電源タップ対応領域を含み、
前記電源タップ対応領域は、それぞれ、前記電源タップと電気的に接続する導通部を有し；
前記電源タップは、
前記レール本体と電気的に接続する第１導通部と、
前記電源コードの電源プラグを挿入する挿入口と、
前記電源プラグと電気的に接続する第２導通部とを有し；
前記電源コードは、
コード本体と、前記コード本体の一端に接続された電源プラグと、前記コード本体の他端に接続された電源コネクタとを有し、
前記電源プラグが、前記電源コードにおける前記電源コネクタおよび前記電源タップに電気的に接続する第１導通部を有し、
前記電源コネクタが、前記電源コードにおける前記電源プラグと電気的に接続する第２導通部を有し；
前記電源タップおよび前記電源コードの各導通部は、それぞれ、同一導通パターンであり、
前記電源レールにおける前記電源タップ対応領域の導通部は、それぞれ、異なる導通パターンであることを特徴とする。
【０００７】
本発明のサーバラック用電源レールは、
電源タップがスライド可能なレール本体を含み、
前記レール本体は、長手方向に沿って、複数の電源タップ対応領域を含み、
前記電源タップ対応領域は、それぞれ、前記電源タップと電気的に接続する導通部を有し、
前記電源レールにおける前記電源タップ対応領域の導通部は、それぞれ、異なる導通パターンであることを特徴とする。
【０００８】
本発明のサーバラック用電源タップは、
電源レールのレール本体をスライド可能であり、
前記レール本体と電気的に接続する第１導通部と、
電源コードの電源プラグを挿入する挿入口と、
前記電源プラグと電気的に接続する第２導通部とを有し、
前記第１導通部および前記第２導通部は、それぞれ、同一導通パターンであり、
前記本発明の電源レールと共に使用されることを特徴とする。
【０００９】
本発明のサーバラック用電源コードは、
コード本体と、前記コード本体の一端に接続された電源プラグと、前記コード本体の他端に接続された電源コネクタとを有し、
前記電源プラグは、前記電源コネクタおよび電源タップに電気的に接続する第１導通部を有し、
前記電源コネクタは、前記電源プラグと電気的に接続する第２導通部を有し、
前記第１導通部および前記第２導通部は、それぞれ、同一導通パターンであり、
前記本発明のサーバラック用電源レールおよび前記本発明のサーバラック用電源タップと共に使用されることを特徴とする。
【００１０】
本発明のサーバの位置情報管理装置は、
前記本発明のサーバラック用電源キットに含まれる前記電源レールにおける前記電源タップ対応領域と、前記電源タップ対応領域の導通パターンと、前記電源レールが設置されるサーバラックにおけるサーバ配置位置とを、紐づけて記憶する記憶部、
前記サーバラック用電源キットの前記電源レールと、前記電源タップと、前記電源コードと、サーバとの接続による前記サーバからの導通情報を取得する導通情報取得部、および、
前記導通情報に対応する導通パターンを有する前記電源タップ対応領域を選択し、選択した前記電源タップ対応領域に紐づけされたサーバ配置位置を、前記接続したサーバの位置であると決定する分析部を有することを特徴とする。
【００１１】
本発明のサーバの位置情報管理方法は、
前記本発明のサーバラック用電源キットに含まれる前記電源レールにおける前記電源タップ対応領域と、前記電源タップ対応領域の導通パターンと、前記電源レールが設置されるサーバラックにおけるサーバ配置位置とを、紐づけて記憶する記憶工程、
前記サーバラック用電源キットの前記電源レールと、前記電源タップと、前記電源コードと、サーバとの接続による前記サーバからの導通情報を取得する導通情報取得工程、および、
前記導通情報に対応する導通パターンを有する前記電源タップ対応領域を選択し、選択した前記電源タップ対応領域に紐づけされたサーバ配置位置を、前記接続したサーバの位置であると決定する分析工程を有することを特徴とする。
【００１２】
本発明のプログラムは、前記本発明の位置情報管理方法をコンピュータに実行させることを特徴とする。
【００１３】
本発明の記録媒体は、前記本発明のプログラムを記録したコンピュータ読み取り可能である。
【発明の効果】
【００１４】
本発明のサーバラック用電源キットによれば、前記電源レールの前記電源タップ対応領域の位置により導通パターンが異なるため、例えば、いずれの前記電源タップ対応領域に前記電源タップを配置し、前記電源コードを介して前記サーバと結線させるかによって、前記サーバが検知する導通パターンが異なる。このため、例えば、前記サーバラックに前記電源レールを設置した状態において、前記電源レールの前記電源タップ対応領域と、前記電源タップ対応領域の導通パターンと、前記サーバラックにおけるサーバ配置位置とを紐づけておけば、接続したサーバから得られる導通パターンにより、対応する導通パターンを有する前記電源タップ対応領域に紐づけられたサーバ配置位置を、前記接続したサーバの位置と決定できる。また、本発明によれば、例えば、目視によって、前記サーバラックに収容された各サーバを確認することが不要である。また、位置決定のためだけに送受信のツールを設置することも不要である。また、さらに、本発明は、サーバラック用電源キットであるため、当然、位置の決定だけでなく、電力の供給も行うことができる。
【図面の簡単な説明】
【００１５】
【図１】図１は、実施形態１の電源キットにおける電源レールの一例であり、（Ａ）は、斜視図、（Ｂ）は、平面図、（Ｃ）は、断面図である。
【図２】図２は、実施形態１の電源キットにおける電源タップの一例であり、（Ａ）は、斜視図、（Ｂ）は、断面図である。
【図３】図３は、実施形態１の電源キットにおける電源コードの一例を示す斜視図である。
【図４】図４は、実施形態１の電源キットにおいて、電源レールに電源タップがセットされた状態を示す断面図である。
【図５】図５は、実施形態１の電源キットにおいて、電源レールにセットされた電源タップに、電源コードの電源プラグを挿入する状態を示す斜視図である。
【図６】図６は、実施形態２の位置情報管理装置の一例を示すブロック図である。
【図７】図７は、実施形態２の位置情報管理システムの一例を示すブロック図である。
【図８】図８は、実施形態２の位置情報管理方法の一例を示すフローチャートである。
【図９】図９は、実施形態２において、サーバラックに電源レールを設置した状態を示す概略図である。
【発明を実施するための形態】
【００１６】
本発明の実施形態について説明する。なお、本発明は、以下の実施形態には限定されない。なお、以下の各図において、同一部分には、同一符号を付している。また、各実施形態の説明は、特に言及がない限り、互いの説明を援用できる。さらに、各実施形態の構成は、特に言及がない限り、組合せ可能である。
【００１７】
また、以下の実施形態においては、具体的な説明において、前記管理対象物として前記サーバを例にあげて説明するが、例示であって、本発明は、これには制限されない。
【００１８】
［実施形態１］
本発明のサーバラック用電源キットの一例について、図を用いて説明する。
【００１９】
図１に、前記サーバラック用電源キットにおける電源レールの一例を示す。図１において、（Ａ）は、電源レール１０の部分斜視図であり、（Ｂ）は、上面図、（Ｃ）は、（Ａ）の電源レール１０をＩ−Ｉ方向から見た断面図である。図２に、前記サーバラック用電源キットにおける電源タップの一例を示す。図２において、（Ａ）は、電源タップ２０の斜視図であり、（Ｂ）は、（Ａ）の電源タップ２０をII−II方向から見た断面図である。図３に、前記サーバラック用電源キットにおける電源コードの一例を示す。図３は、電源プラグ３１とコード本体３３と電源コネクタ３２において、コード本体３３の一部を省略して示す斜視図である。
【００２０】
図１に示すように、電源レール１０は、レール本体１１を有する。レール本体１１は、長手方向に、電源タップ２０の一部を収容し、電源タップ２０が長手方向（矢印Ｘ）にスライド可能な凹状の収容部１２を有する。レール本体１１において、図１（Ｃ）に示す突出部１１１は、挿入された電源タップ２０が、レール本体１１の収容部１２から外れないようにするための押さえ部である。図１（Ｂ）に示すように、レール本体１１の収容部１２は、長手方向に沿って、電源タップ２０と電気的に接続する、複数の電源タップ対応領域（Ｕ）を有する。図１（Ｂ）においては、例示として、下から上の長手方向に向かって、電源タップ対応領域（Ｕ）に番号を付している（１Ｕ、２Ｕ、３Ｕ、４Ｕ、・・・３９Ｕ、４０Ｕ、４１Ｕ，４２Ｕ）。なお、電源レール１０は、その長手方向が、サーバラックの高さ方向に沿うように配置されることから、便宜上、矢印Ｘ方向を上下方向といい、矢先方向が上、矢尻方向を下という。
【００２１】
図１（Ｃ）に示すように、レール本体１１の収容部１２は、セットされる電源タップ２０と電気的に接続するための、導通部１３を有する。レール本体１１の収容部１２に電源タップ２０がセットされると、電源タップ２０は、レール本体１１のいずれかの電源タップ対応領域（Ｕ）に配置される。そして、レール本体１１の電源タップ対応領域（Ｕ）は、その導通部１３を介して、電源タップ２０と、電気的に接続される。
【００２２】
ここで、図４の断面図に、電源レール１０に電源タップ２０を収容した状態を示す。具体的には、図４の断面図に示すように、レール本体１１の電源タップ対応領域（Ｕ）は、その導通部１３と、電源タップ２０の後述する第１導通部２３とにより、電源タップ２０と、電気的に接続される。導通部１３の導通パターンについては、後述する。レール本体１１は、さらに、一対の電力部１５を有する。
【００２３】
図２に示すように、電源タップ２０は、タップ本体２１を有している。タップ本体２１は、電源レール１０にセットした状態において、電源レール１０から露出する上本体２１１、電源レールの突出部（押さえ部）１１１に対応する凹部２１２、電源レール１０の収容部１２内に収容される下本体２１３から構成される。
【００２４】
図２（Ｂ）に示すように、電源タップ２０は、さらに、電源コード３０のプラグ３１を挿入する挿入口２２と、一対の電力部２５とを有する。図４に示すように、電源レール１０に電源タップ２０を収容した際、前者の電力部１５と後者の電力部２５が接することにより、電源レール１０から電源タップ２０へ電力が配給される。
【００２５】
また、電源タップ２０は、レール本体１１と電気的に接続する第１導通部２３と、電源コード３０の電源プラグ３１と電気的に接続する第２導通部２４とを有する。電源タップ２０は、その第１導通部２３を介して、レール本体１１と、電気的に接続される。具体的には、図４の断面図に示すように、電源タップ２０は、その第１導通部２３と、レール本体１１の電源タップ配置領域（Ｕ）の導通部１３とにより、レール本体１１と、電気的に接続される。また、電源タップ２０は、その第２導通部２４を介して、電源コード３０の電源プラグ３１と、電気的に接続される。具体的には、電源タップ２０は、その第２導通部２４と、電源プラグ３１の後述する第１導通部３４とにより、電源プラグ３１と、電気的に接続される。電源タップ２０の第１導通部２３および第２導通部２４の導通パターンについては、後述する。
【００２６】
電源タップ２０および電源レール１０は、例えば、電源レール１０の目的の位置で電源タップ２０を固定するための固定部を、いずれか一方が有してもよいし、両方が有してもよい。
【００２７】
図３に示すように、電源コード３０は、コード本体３３の一端に、電源プラグ３１が接続され、コード本体３３の他端に、電源コネクタ３２が接続されている。
【００２８】
使用時において、電源プラグ３１の先端は、電源タップ２０の挿入口２２に連結され、電源コネクタ３２は、前記サーバに連結される。具体的には、電源コネクタ３２は、前記サーバの電源プラグ等に連結される。前記サーバも、連結される前記電源プラグ等に導通部を有し、前記サーバの導通部と、電源コネクタ３２の後述する第１導通部３５との連結により、前記サーバと電源コネクタ３２とが、電気的に接続される。前記サーバの前記導通部の構造は、例えば、電気コネクタ３２の第１導通部３５と同様である。前記サーバの前記導通部は、例えば、前記サーバそのものが備えてもよいし、前記サーバの電源プラグ等に連結したアタッチメントが有してもよい。後者の場合、前記アタッチメントを介して、前記サーバと前記電源コネクタ３２とを連結できる。図５の斜視図に、電源レール１０にセットされた電源タップ２０に、電源コード３０の電源プラグ３１を挿入する状態を示す。
【００２９】
電源プラグ３１は、電源タップ２０および電源コネクタ３２と電気的に接続する第１導通部３４を有し、電源コネクタ３２は、電源タップ２０と電気的に接続する第２導通部３５を有する。具体的に、電源プラグ３１は、その第１導通部３４と、電源タップ２０の第２導通部２４とにより、電源タップ２０と、電気的に接続される。また、電源プラグ３１と電源コネクタ３２は、第１導通部３４と第２導通部３５とにより、互いに、電気的に接続される。電源プラグ３１の第１導通部３４および電源コネクタ３２の第２導通部３５の導通パターンについては、後述する。
【００３０】
つぎに、電源レール１０、電源タップ２０、および電源コード３０のそれぞれにおける導通パターンについて説明する。本発明は、電源レール１０にセットされた電源プラグ２０の位置によって、導通パターンが異なることがポイントであり、前記導通パターンの相違は、電源レール１０において、複数の電源プラグ対象領域（Ｕ）を、それぞれ異なる導通パターンに設定していることに起因する。そして、この形態によれば、電源タップ２０および電源コード３０は、同じものを複数使用しても、電源レール１０において、いずれの電源プラグ対象領域（Ｕ）に、電源タップを配置するかによって、異なる導通パターンを得ることができる。このため、本発明の電源キットにおいては、電源レール１０における複数の電源プラグ対象領域（Ｕ）の各導通部１３が、異なる導通パターンを有していればよく、例えば、それ以外の導通部、すなわち、電源タップ２０の第１導通部２３および第２導通部２４、ならびに電源コード３０の第１導通部３４および第２導通部３５は、同じ導通パターン（共通導通パターン）であることが好ましい。
【００３１】
電源レール１０における電源プラグ対象領域（Ｕ）の各導通部１３における導通パターンは、例えば、前記共通導通パターンの一部が非導通となった導通パターンがあげられる。この形態であれば、例えば、電源タップ２０および電源コード３０は、いずれの導通部も共通導通パターンであるため、当然に導通可能である。他方、電源プラグ対象領域（Ｕ）は、前記共通導通パターンにおける一部が非導通の導通パターンであるため、電源タップ２０の第１導通部２３は、例えば、一部が非導通となるが、残りの部分は、導通可能である。
【００３２】
ここで、前記導通パターンが、複数の導通ラインを含むパターンであり、前記導通ラインとして、グランド線と、２本以上のビット線とを含む形態を例にあげて説明する。なお、これは例示であって、本発明を何ら制限しない。
【００３３】
図１〜図３に示すように、電源レール１０の導通部１３、電源タップ２０の第１導通部２３および第２導通部２４、電源コード３０の第１導通部３４および第２導通部３５は、いずれも、１本のグランド線１３２、２３２、２４２、３４２、３５２を有し、且つ、６本のビット線（１３１、２３１、２４１、３４１、３５１）を含む。そして、電源レール１０の各電源タップ対応領域（Ｕ）において、６本のビット線について、非導通を含む組み合わせをとることによって、それぞれが、異なる導通パターンとなる。前記６本のビット線の場合、例えば、導通と非導通の組み合わせは、０〜６３までを２進法で表した場合の１と０の配置が、それぞれ、［１：導通］、［０：非導通］として表せるため、６４パターンまで可能となる。各電源タップ対応領域（Ｕ）における導通と非導通との制御は、特に制限されず、例えば、電気的制御により、各ビット線の導通と非導通とを制御できればよい。具体的な方法として、例えば、導電材料と絶縁材料とを使用して、電源タップ対応領域（Ｕ）における複数のビット線を、それぞれ形成することによって、導通と非導通とを制御することもできる。
【００３４】
図４に示すように、電源レール１０の導通部１３と、電源タップ２０の第１導通部２３は、それぞれ、同じ導通ラインを有するが、電源レール１０の導通部１３は、電源タップ対応領域（Ｕ）毎に、各導通ラインの導通と非道通との組み合わせが異なる。しかし、同じ導通ラインであるため、電源タップ２０は、いずれの電源タップ対応領域（Ｕ）とも、電源タップ対応領域（Ｕ）の導通パターンにより、導通することができる。
【００３５】
そして、電源タップ２０の第１導通部２３は、図４に示すように、第２導通部２４と同じ導通パターンであり、さらに、図５に示すように、電源タップ２０の第２導通部２４は、電源コード３０の電源プラグ３１の第１導通部３４と同じ導通パターンである。そして、電源コード３０の電源プラグ３１の第１導通部３４は、電源コードの電源コネクタ３２の第２導通部３５と同じ導通パターンである。このため、電源レール１０の電源タップ対応領域（Ｕ）に依存して、その導通部１３の導通パターンで、前記サーバへの電気的接続がなされることになる。
【００３６】
本実施形態においては、前記導通パターンとして、複数の導通ラインを含むパターンを例示したが、本発明は、これには限定されない。また、前記複数の導通ラインの数は、特に制限されず、例えば、電源レール１０に設ける電源タップ対応領域（Ｕ）の数によって、適宜設定できる。前記サーバラックは、例えば、一般的に、最大数が４２Ｕであり、この場合、例えば、前記のように、６本のビット線であれば、６４パターンの情報が得られるため、前記ビット線は、例えば、６本あればよい。
【００３７】
電源レール１０において、電源タップ対応領域（Ｕ）の大きさは、特に制限されず、例えば、国際規格（１U：幅４８２．６ｍｍ、高さ４４．４５ｍｍ）に従う。
【００３８】
つぎに、本実施形態の電源キットの使い方について、一例をあげて説明する。
【００３９】
まず、サーバラックに対して、その高さ方向に沿って、電源レール１０を設置する。前記サーバラックは、高さ方向に、複数のサーバが収容できるよう、棚構造となっている。そこで、前記サーバラックの棚を１ユニットとして、前記各ユニットと、電源レール１０の各電源タップ対応領域（Ｕ）とが、対応する位置関係となるように、前記サーバラックに電源レール１０を設置する。電源レール１０には、予め、スライド可能な電源タップ２０を複数セットしておいてもよいし、前記サーバラックに電源レール１０を設置した後、スライド可能な電源タップ２０を複数セットしてもよい。
【００４０】
つぎに、電源レール１０における複数の電源タップ対応領域（Ｕ）のうち、前記サーバラックに格納されたサーバに最も近い電源タップ対応領域（Ｕ）に、電源タップ２０をスライドにより移動させ、固定する。そして、その電源タップ２０に、電源コード３０の電源プラグ３１を接続する。なお、電源コード３０の他端の電源コネクタ３２は、前記サーバに接続されている。本発明においては、前記サーバラックに格納されている前記サーバは、最も近くの位置（好ましくは真横の位置）に配置されている電源タップ対応領域（Ｕ）に、電源タップ２０を固定し、これに電源コード３０を介して接続されることが好ましい。これによって、前記サーバラックの各ラックに格納されているサーバについて、前記電源キットを用いて、適切な位置情報の管理を行うことが可能になる。
【００４１】
前記サーバは、通常、導通チェックが可能である。このため、前記電源キットを前記サーバに接続すると、前記サーバは、導通情報を取得する。一方、前記電源キットに関しては、例えば、電源レール１０における電源タップ対応領域（Ｕ）と、電源タップ対応領域（Ｕ）の導通パターンと、電源レール１０が設置される前記サーバラックにおけるサーバ配置位置とは、紐づけることができる。前記サーバラックにおけるサーバ配置位置とは、前記サーバラックの各棚（各ユニット、例えば、１Ｕ〜４２Ｕ）の位置を意味する。
【００４２】
そこで、前記サーバが取得した前記導通情報について、これに対応する導通パターンを有する電源タップ対応領域（Ｕ）を選択すれば、選択した電源タップ対応領域（Ｕ）に紐づけられたサーバ配置位置が、前記接続したサーバの位置であると決定することができる。このように、本発明の電源キットを用いれば、前記サーバへの電力の供給を行うとともに、前記サーバラックにおける格納位置も決定でき、前記サーバの管理が極めて容易になる。
【００４３】
なお、本発明の電源キットは、複数のサーバラックに対して、それぞれ設置して使用できる。本発明の電源キットを複数のサーバラックに対して使用する場合、例えば、前記電源レールに、切り替え可能なもう１つの導通ラインを任意に設け、対応するサーバラックごとに、前記導通ラインの識別パターンを変更することで、各サーバラックを区別することも可能となる。
【００４４】
［実施形態２］
つぎに、本発明のサーバの位置情報管理装置およびシステム、ならびに位置情報管理方法について、一例をあげて説明する。本発明のサーバの位置情報管理装置およびシステム、ならびに位置情報管理方法によれば、本発明の電源キットをサーバに接続することにより得られる導通情報から、前記サーバの位置情報を決定し管理することが可能である。
【００４５】
図６は、本実施形態の位置情報管理装置の一例を示すブロック図である。位置情報分析装置４０は、記憶部４１、導通情報取得部４２、分析部４３を含む。位置情報管理装置４０は、例えば、位置情報管理システム４０ともいう。位置情報管理装置４０は、例えば、前記各部を含む１つの位置情報管理装置でもよいし、前記各部が、通信回線網を介して接続可能な位置情報管理装置であってもよい。
【００４６】
前記位置情報管理装置のハードウエア構成は、例えば、ＣＰＵ（中央処理装置）、入出力インターフェイス（Ｉ／Ｆ）、入力装置、ディスプレイ、記憶装置、ドライブ、通信デバイス等を有する。前記Ｉ／Ｆおよび前記記憶装置は、例えば、通信バスによって、前記ＣＰＵに接続されている。前記Ｉ／Ｆには、例えば、前記入力装置、前記ディスプレイ、前記通信デバイス、前記ドライブ等が接続されている。
【００４７】
前記ＣＰＵは、前記位置情報管理装置の全体の制御を担う。前記位置情報管理装置において、前記ＣＰＵにより、例えば、本発明のプログラムやその他のプログラムが実行され、また、各種情報の読み込みや書き込みが行われる。具体的に、前記位置情報管理装置は、例えば、前記ＣＰＵが、分析部４３として機能する。
【００４８】
前記Ｉ/Ｆは、例えば、前記通信デバイスを通じて、通信回線網に接続でき、それを介して、外部の機器と接続できる。前記入力装置は、例えば、キーボード、マウス、タッチパネル等である。前記ディスプレイは、例えば、ＬＥＤディスプレイ、液晶ディスプレイ等である。
【００４９】
前記記憶装置は、例えば、メインメモリのＲＡＭ（ランダムアクセスメモリ）、ＲＯＭ（読み出し専用メモリ）、ＨＤＤ（ハードディスクドライブ）、ＨＤ（ハードディスク）等であり、例えば、ＲＯＭには、動作プログラムが格納されている。前記記憶装置は、例えば、内蔵型でも、外付け型でもよい。前記記憶装置には、例えば、前記Ｉ／Ｆを介して入力された情報が記憶される。前記情報は、例えば、本発明のサーバラック用電源キットに含まれる前記電源レールにおける前記電源タップ対応領域、前記電源タップ対応領域の導通パターン、および前記電源レールが設置されるサーバラックにおけるサーバ配置位置であり、これらが紐づけて記憶されている。また、前記情報は、例えば、本発明のサーバラック用電源キットの前記電源レールと、前記電源タップと、前記電源コードと、サーバとの接続による前記サーバからの導通情報を含む。
【００５０】
前記ドライブは、例えば、リムーバブル記録媒体用のドライブであり、前記リムーバブル記録媒体は、例えば、ＦＤ（フロッピー（登録商標）ディスク）、ＣＤ−ＲＯＭ（ＣＤ−Ｒ、ＣＤ−ＲＷ）、ＭＯ、ＤＶＤ、フラッシュメモリー、メモリーカード等である。
【００５１】
位置情報管理装置４０において、記憶部４１は、例えば、前記記憶装置であり、導通情報取得部４２は、例えば、前記Ｉ／Ｆ、前記入力装置であり、分析部４３は、例えば、ＣＰＵである。
【００５２】
サーバ（管理対象サーバ）は、一般的に、管理アプリケーションによって管理されている。このため、本実施形態の位置情報管理装置は、例えば、前記管理アプリケーションを搭載する通常の管理サーバが兼ねてもよい。この場合、例えば、前記位置情報管理装置は、例えば、前記サーバと通信回線網を介して接続可能であり、前記サーバから、前記導通情報を取得し、記憶する。前記通信回線網は、特に制限されず、公知の通信回線網を使用でき、具体的には、例えば、インターネット回線、電話回線、ＬＡＮ（Local  Area  Network）、ＷｉＦｉ（Wireless  Fidelity）等があげられ、無線でもよく、有線でもよい。
【００５３】
位置情報管理装置４０において、記憶部４１は、前記サーバラック用電源キットに含まれる電源レール１０における電源タップ対応領域２０と、電源タップ対応領域（Ｕ）の導通パターンと、電源レール１０が設置されるサーバラックにおけるサーバ配置位置とを、紐づけて記憶する。
【００５４】
導通情報取得部４２は、前記サーバラック用電源キットの電源レール１０と、電源タップ２０と、電源コード３０と、前記サーバとの接続による前記サーバからの導通情報を取得する。
【００５５】
分析部４３は、前記導通情報に対応する導通パターンを有する電源タップ対応領域（Ｕ）を選択し、選択した電源タップ対応領域（Ｕ）に紐づけされたサーバ配置位置を、前記接続したサーバの位置であると決定する。
【００５６】
位置情報分析装置４０は、例えば、さらに出力部を含んでもよい。前記出力部は、前記分析部による分析情報を出力する。前記出力部により出力される情報の形態は、特に制限されず、例えば、前記サーバと、前記サーバラックの棚（ユニット）と、前記電源レールの電源タップ対応領域（Ｕ）とを紐づけた、結線図等があげられる。
【００５７】
前記出力部による出力は、例えば、装置４０内での出力でもよいし、装置４０外への出力でもよい。前者の場合、位置情報分析装置４０は、例えば、さらに、表示部（例えば、前記ディスプレイ）を備え、前記出力部は、前記表示部に出力してもよい。後者の場合、位置情報管理装置４０の出力部は、例えば、外部の端末へ送信（出力）してもよい。この場合、位置情報管理装置４０と前記端末とは、例えば、通信回線網を介して接続可能である。本発明の位置情報管理システムは、例えば、図７のブロック図に示すように、通信回線網５０を介して接続可能な、位置情報管理装置４０と端末８０とを含んでもよい。通信回線網５０は、特に制限されず、前述と同様である。本発明の位置情報管理システムにおいて、位置情報管理装置４０は、端末８０に、位置情報管理装置４０の分析部４３による分析情報を送信し、端末８０は、位置情報管理４０からの前記分析情報を受信する。端末８０は、例えば、表示部（例えば、ディスプレイ）を有し、位置情報管理装置４０からの情報を前記表示部に表示できる。前記外部の端末としては、例えば、ポータブルデバイス等があげられ、具体例として、スマートフォン、タブレット、携帯電話、ウェアラブルデバイス等が利用できる。
【００５８】
つぎに、本実施形態の位置情報管理方法について、図８のフローチャートを用いて説明する。本実施形態の位置情報管理方法は、例えば、図４に示す本実施形態の位置情報管理装置（システム）４０を用いて、次のように実施する。なお、本実施形態の位置情報管理方法は、図４の位置情報管理装置４０の使用には限定されない。
【００５９】
また、図９に、サーバを格納したラックに、前記電源キットの電源レール１０を配置した状態の模式図を示す。以下の具体例では、図９において、サーバ７０Ｘが、サーバラック６０の棚（６０１〜６０６）のうちいずれの棚に格納されているかを、サーバラック６０に設置した電源レール１０を含む前記電源キットを用いて決定する例について説明する。なお、サーバラック６０の各棚（６０１〜６０６）と、電源レール１０の電源タップ対応領域（１Ｕ〜６Ｕ）は、それぞれ対応しており、電源タップ対応領域（１Ｕ〜６Ｕ）の導通パターンは、それぞれ、異なる導通パターンＰ１〜Ｐ６とする。
【００６０】
まず、予め、前記サーバラック用電源キットに含まれる電源レール１０における電源タップ対応領域（１Ｕ〜６Ｕ）と、電源タップ対応領域（１Ｕ〜６Ｕ）の導通パターン（Ｐ１〜Ｐ６）と、電源レール１０が設置されるサーバラック６０におけるサーバ配置位置（６０１〜６０６）とを、紐づけて記憶する（Ｓ１００）。これらの情報を紐づけた場合、例えば、下記表が例示できる。
【００６１】
【表１】
0006989120.tif 000002
【００６２】
そして、サーバラック６０の任意のユニットに、サーバ７０Ｘを格納する。サーバラック６０に設置された電源レール１０おいて、サーバＸを格納した任意のユニットに最も近い電源タップ対応領域に、電源タップ２０をスライドにより移動させ、固定する。そして、電源タップ２０に、電源コード３０のプラグを挿入し、電源コード３０の他端のコネクタ３１を、サーバ７０Ｘに接続する。これによって、サーバ７０Ｘは、前記電源キットと電気的に接続される。電気的に接続されると、サーバ７０Ｘは、その接続に関する導通情報を取得する。
【００６３】
サーバ７０Ｘが取得した導通情報Ｘと、前記記憶工程（Ｓ１００）で記憶した複数の導通パターンとを対比し、導通情報Ｘに対応する導通パターンを検索する。これによって、サーバＸの導通情報Ｘは、導通パターンＰ３に対応すると推定される。このため、導通パターンＰ３を有する電源タップ対応領域３Ｕが選択され（Ｓ１０３）、サーバ７０Ｘは、電源タップ対応領域３Ｕと紐づけされている、サーバラック６０の棚６０３に格納されていると決定できる（Ｓ１０４）。
【００６４】
［実施形態３］
本実施形態のプログラムは、前記各実施形態の位置情報管理方法を、コンピュータ上で実行可能なプログラムである。または、本実施形態のプログラムは、例えば、コンピュータ読み取り可能な記録媒体に記録されてもよい。前記記録媒体としては、特に限定されず、例えば、読み出し専用メモリ（ＲＯＭ）、ハードディスク（ＨＤ）、光ディスク、フロッピー（登録商標）ディスク（ＦＤ）等があげられる。
【００６５】
以上、実施形態を参照して本願発明を説明したが、本願発明は、上記実施形態に限定されるものではない。本願発明の構成や詳細には、本願発明のスコープ内で当業者が理解し得る様々な変更をすることができる。
【００６６】
＜付記＞
上記の実施形態および実施例の一部または全部は、以下の付記のように記載されうるが、以下には限られない。
（付記１）
電源レール、電源タップ、および電源コードを含み；
前記電源レールは、
前記電源タップがスライド可能なレール本体を含み、
前記レール本体は、長手方向に沿って、複数の電源タップ対応領域を含み、
前記電源タップ対応領域は、それぞれ、前記電源タップと電気的に接続する導通部を有し；
前記電源タップは、
前記レール本体と電気的に接続する第１導通部と、
前記電源コードの電源プラグを挿入する挿入口と、
前記電源プラグと電気的に接続する第２導通部とを有し；
前記電源コードは、
コード本体と、前記コード本体の一端に接続された電源プラグと、前記コード本体の他端に接続された電源コネクタとを有し、
前記電源プラグが、前記電源コードにおける前記電源コネクタおよび前記電源タップに電気的に接続する第１導通部を有し、
前記電源コネクタが、前記電源コードにおける前記電源プラグと電気的に接続する第２導通部を有し；
前記電源タップおよび前記電源コードの各導通部は、それぞれ、同一導通パターンであり、
前記電源レールにおける前記電源タップ対応領域の導通部は、それぞれ、異なる導通パターンであることを特徴とする、サーバラック用電源キット。
（付記２）
前記電源レールにおける前記電源タップ対応領域の導通部は、それぞれ、前記同一導通パターンの一部が非導通の導通パターンである、付記１記載のサーバラック用電源キット。
（付記３）
前記導通パターンが、複数の導通ラインを含むパターンである、付記１または２記載のサーバラック用電源キット。
（付記４）
前記複数の導通ラインが、グランド線と、２本以上のビット線とを含む、付記３記載のサーバラックバ用電源キット。
（付記５）
複数の前記電源タップと、複数の前記電源コードとを含む、付記１から４のいずれかに記載のサーバラック用電源キット。
（付記６）
電源タップがスライド可能なレール本体を含み、
前記レール本体は、長手方向に沿って、複数の電源タップ対応領域を含み、
前記電源タップ対応領域は、それぞれ、前記電源タップと電気的に接続する導通部を有し、
前記電源レールにおける前記電源タップ対応領域の導通部は、それぞれ、異なる導通パターンであることを特徴とする、サーバラック用電源レール。
（付記７）
前記電源タップ対応領域の導通部の導通パターンは、それぞれ、前記電源タップの導通パターンに対して、その一部に非導通部を含む導通パターンである、付記６記載のサーバラック用電源レール。
（付記８）
前記導通パターンが、複数の導通ラインを含むパターンである、付記６または７記載のサーバラック用電源レール。
（付記９）
前記複数の導通ラインが、グランド線と、２本以上のビット線とを含む、付記８記載のサーバラック用電源レール。
（付記１０）
電源レールのレール本体をスライド可能であり、
前記レール本体と電気的に接続する第１導通部と、
電源コードの電源プラグを挿入する挿入口と、
前記電源プラグと電気的に接続する第２導通部とを有し、
前記第１導通部および前記第２導通部は、それぞれ、同一導通パターンであり、
付記６から９のいずれかに記載の電源レールと共に使用されることを特徴とするサーバラック用電源タップ。
（付記１１）
前記導通パターンが、複数の導通ラインを含むパターンである、付記１０記載のサーバラック用電源タップ。
（付記１２）
前記複数の導通ラインが、グランド線と、２本以上のビット線とを含む、付記１１記載のサーバラック用電源タップ。
（付記１３）
コード本体と、前記コード本体の一端に接続された電源プラグと、前記コード本体の他端に接続された電源コネクタとを有し、
前記電源プラグは、前記電源コネクタおよび電源タップに電気的に接続する第１導通部を有し、
前記電源コネクタは、前記電源プラグと電気的に接続する第２導通部を有し、
前記第１導通部および前記第２導通部は、それぞれ、同一導通パターンであり、
付記６から９のいずれかに記載のサーバラック用電源レールおよび付記１０から１２のいずれかに記載のサーバラック用電源タップと共に使用されることを特徴とするサーバラック用電源コード。
（付記１４）
前記導通パターンが、複数の導通ラインを含むパターンである、付記１３記載のサーバラック用電源コード。
（付記１５）
前記複数の導通ラインが、グランド線と、２本以上のビット線とを含む、付記１４記載のサーバラック用電源コード。
（付記１６）
付記１から５のいずれかに記載のサーバラック用電源キットに含まれる前記電源レールにおける前記電源タップ対応領域と、前記電源タップ対応領域の導通パターンと、前記電源レールが設置されるサーバラックにおけるサーバ配置位置とを、紐づけて記憶する記憶部、
前記サーバラック用電源キットの前記電源レールと、前記電源タップと、前記電源コードと、サーバとの接続による前記サーバからの導通情報を取得する導通情報取得部、および、
前記導通情報に対応する導通パターンを有する前記電源タップ対応領域を選択し、選択した前記電源タップ対応領域に紐づけされたサーバ配置位置を、前記接続したサーバの位置であると決定する分析部を有することを特徴とするサーバの位置情報管理装置。
（付記１７）
付記１６記載のサーバの位置情報管理装置と、端末とを含み、
前記位置情報管理装置と前記端末とが、通信回線網を介して接続可能であり、
前記位置情報管理装置は、前記端末に、前記位置情報管理装置の分析部による分析情報を送信し、
前記端末は、前記位置情報管理装置からの前記分析情報を受信することを特徴とするサーバの位置情報管理システム。
（付記１８）
付記１から５のいずれかに記載のサーバラック用電源キットに含まれる前記電源レールにおける前記電源タップ対応領域と、前記電源タップ対応領域の導通パターンと、前記電源レールが設置されるサーバラックにおけるサーバ配置位置とを、紐づけて記憶する記憶工程、
前記サーバラック用電源キットの前記電源レールと、前記電源タップと、前記電源コードと、サーバとの接続による前記サーバからの導通情報を取得する導通情報取得工程、および、
前記導通情報に対応する導通パターンを有する前記電源タップ対応領域を選択し、選択した前記電源タップ対応領域に紐づけされたサーバ配置位置を、前記接続したサーバの位置であると決定する分析工程を有することを特徴とするサーバの位置情報管理方法。
（付記１９）
付記１８記載の位置情報管理方法をコンピュータに実行させることを特徴とするプログラム。
（付記２０）
付記１９記載のプログラムを記録したコンピュータ読み取り可能な記録媒体。
【産業上の利用可能性】
【００６７】
本発明によれば、例えば、本発明のサーバラック用電源キットによれば、前記電源レールの前記電源タップ対応領域の位置により導通パターンが異なるため、例えば、いずれの前記電源タップ対応領域に前記電源タップを配置し、前記電源コードを介して前記サーバと結線させるかによって、前記サーバが検知する導通パターンが異なる。このため、例えば、前記サーバラックに前記電源レールを設置した状態において、前記電源レールの前記電源タップ対応領域と、前記電源タップ対応領域の導通パターンと、前記サーバラックにおけるサーバ配置位置とを紐づけておけば、接続したサーバから得られる導通パターンにより、対応する導通パターンを有する前記電源タップ対応領域に紐づけられたサーバ配置位置を、前記接続したサーバの位置と決定できる。また、本発明によれば、例えば、目視によって、前記サーバラックに収容された各サーバを確認することが不要である。また、位置決定のためだけに送受信のツールを設置することも不要である。また、さらに、本発明は、サーバラック用電源キットであるため、当然、位置の決定だけでなく、電力の供給も行うことができる。
【符号の説明】
【００６８】
１０    電源レール
１１    レール本体
１２    収容部
１３    導通部
１５、２５    電力部
２０    電源タップ
２１    タップ本体
２２    挿入口
２３    第１導通部
２４    第２導通部
３０    電源コード
３１    電源プラグ
３２    電源コネクタ
３３    コード本体
３４    第１導通部
３５    第２導通部
４０    位置情報管理装置
４１    記憶部
４２    導通情報取得部
４３    分析部
５０    通信回線網
６０    サーバラック
６０１〜６０６    棚
７０Ｘ    サーバ
８０    端末
【図１】
0006989120.tif 000003
【図２】
0006989120.tif 000004
【図３】
0006989120.tif 000005
【図４】
0006989120.tif 000006
【図５】
0006989120.tif 000007
【図６】
0006989120.tif 000008
【図７】
0006989120.tif 000009
【図８】
0006989120.tif 000010
【図９】
0006989120.tif 000011